(57)【要約】【課題】簡単な構成の前照灯付車両を提供する。【解決手段】走行方向を照らす前照灯４１と、運転者が視認しうる発光性の苗切警報ライト（警報手段）４３とを備え、前照灯４１に備える電球（光源）４５が、苗切警報ライト４３の光源を兼ねる。【選択図】図２
2006248251.tif 000002
【特許請求の範囲】
【請求項１】
走行方向を照らす前照灯と、運転者が視認しうる発光性の警報手段とを備えた前照灯付車両において、
前記前照灯に備える光源が、前記警報手段の光源を兼ねることを特徴とする、前照灯付車両。
【請求項２】
前記前照灯が、ケースと該ケースに内設された前記光源とを備えるとともに、
前記警報手段が、前記光源と前記ケースと該ケースの後部に前記光源からの光量を低減させる減光部材とを備えることを特徴とする、請求項１に記載の前照灯付車両。
【請求項３】
前記ケースの上面に進行方向を誘導する進行方向誘導部を設けたことを特徴とする請求項２に記載の前照灯付車両。
【請求項４】
前記進行方向誘導部が、突起であることを特徴とする、請求項３に記載の前照灯付車両。
【請求項５】
前記進行方向誘導部が、ラインであることを特徴とする、請求項３に記載の前照灯付車両。
【請求項６】
前記ケースが、アームを介して車両本体に回動自在に取り付けられることを特徴とする、請求項２に記載の前照灯付車両。
【請求項７】
前記ケースは、前記車両本体に対して、上下方向に回動自在に取り付けられることを特徴とする、請求項６に記載の前照灯付車両。
【請求項８】
前記ケースは、前記車両本体に対して、左右方向に回動自在に取り付けられることを特徴とする、請求項６に記載の前照灯付車両。
【請求項９】
前記前照灯付車両が苗載台を備える田植機であり、前記苗載台が、苗がないときに前記光源を点灯させるスイッチを備えることを特徴とする、請求項１に記載の前照灯付車両。
【発明の詳細な説明】
【技術分野】
【０００１】
本発明は、走行方向を照らす前照灯と、運転者が視認しうる発光性の警報手段とを備えた、農作業車両、建設作業車両、除草作業車両、電動車椅子、スクーターなどの前照灯付車両に関する。
【背景技術】
【０００２】
従来の走行方向を照らす前照灯と、運転者が視認しうる発光性の警報手段とを備えた田植機（前照灯付車両）は、例えば、前部ボンネットの前端部に前照灯を備える（例えば、特許文献１）とともに運転席付近に操作パネルを備え、その操作パネルに発光性の警報手段を設けるものである。前照灯及び警報手段は図６に示すように、エンジンチャージコイル１５１がレギュレーター１５２を介して、前照灯回路１５９及び苗切警報回路１６０に並列に接続している。
前照灯回路１５９は、前照灯スイッチ１５３及び前照灯１５４を備える。
苗切警報回路１６０は、警報回路１５５、苗切警報停止スイッチ１５６、苗切警報ライト１５７、及び苗切を感知する複数の苗切スイッチ１５８を備える。
苗切スイッチ１５８は、田植機の苗載台に苗が充填されている時は、ＯＦＦとなり通電しないように構成され、これにより警報回路１５５が作動せず、苗切警報ライト１５７が点灯しないようになっている。また、苗載台の苗を使い果たした時は、苗載台上にある苗切スイッチ１５８が通電し、警報回路１５５が作動して苗切警報ライト１５７が点灯するようになっている。このときは、苗切警報停止スイッチ１５６をＯＦＦにした後、苗載台に苗を充填することで、苗切スイッチ１５８の通電が解除される。
【０００３】
【特許文献１】特開平１０−９８９１８号公報
【発明の開示】
【発明が解決しようとする課題】
【０００４】
しかし、このような田植機では、前照灯回路１５９及び苗切警報回路１６０を並列に備えるため、回路構成が複雑になるという問題があった。また、前照灯１５４及び苗切警報ライト１５７を別の光源によって構成するため、部品点数が増え、構造が複雑になるという問題もあった。
そこで、この発明の目的は、簡単な構成の前照灯付車両を提供することにある。
【課題を解決するための手段】
【０００５】
このため請求項１に記載の発明は、走行方向を照らす前照灯と、運転者が視認しうる発光性の警報手段とを備えた前照灯付車両において、
前記前照灯に備える光源が、前記警報手段の光源を兼ねることを特徴とする。
【０００６】
請求項２に記載の発明は、請求項１に記載の前照灯付車両において、前記前照灯が、ケースと該ケースに内設された前記光源とを備えるとともに、前記警報手段が、前記光源と前記ケースと該ケースの後部に前記光源からの光量を低減させる減光部材とを備えることを特徴とする。
【０００７】
請求項３に記載の発明は、請求項２に記載の前照灯付車両において、前記ケースの上面に進行方向を誘導する進行方向誘導部を設けたことを特徴とする。
【０００８】
請求項４に記載の発明は、請求項３に記載の前照灯付車両において、前記進行方向誘導部が、突起であることを特徴とする。
【０００９】
請求項５に記載の発明は、請求項３に記載の前照灯付車両において、前記進行方向誘導部が、ラインであることを特徴とする。
【００１０】
請求項６に記載の発明は、請求項２に記載の前照灯付車両において、アームを介して車両本体に回動自在に取り付けられることを特徴とする。
【００１１】
請求項７に記載の発明は、請求項６に記載の前照灯付車両において、前記車両本体に対して、上下方向に回動自在に取り付けられることを特徴とする。
【００１２】
請求項８に記載の発明は、請求項６に記載の前照灯付車両において、前記車両本体に対して、左右方向に回動自在に取り付けられることを特徴とする。
【００１３】
請求項９に記載の発明は、請求項１に記載の前照灯付車両において、前記の前照灯付車両が苗載台を備える田植機であり、前記苗載台が、苗がないときに前記光源を点灯させるスイッチを備えることを特徴とする。
【発明の効果】
【００１４】
請求項１に記載の発明によれば、走行方向を照らす前照灯と視認性を有する警報手段とを備えた前照灯付車両において、前照灯に備える光源が、警報手段を兼ねるので、回路構成を簡単にするとともに部品点数を低減でき、簡単な構成の前照灯付車両を提供することができる。
【００１５】
請求項２に記載の発明によれば、前照灯が、ケースとそのケースに内設された光源とを備えるとともに、警報手段が、光源とケースとそのケースの後部に光源からの光量を低減させる減光部材とを備えるので、前照灯に用いる光源の光量を運転者の目に負担のかからない光量に低減した視認性の警報手段とすることができる。
【００１６】
請求項３に記載の発明によれば、ケースの上面に進行方向を誘導する進行方向誘導部を設けることで、運転者が進行方向を確認しやすくなり、目的の方向に容易に到達することができる。また、別途、進行方向誘導部を前照灯付車両に設ける必要がないので、部品点数を低減することができる。
【００１７】
請求項４に記載の発明によれば、進行方向誘導部が、突起であるので、運転者が進行方向を確認しやすくなり、目的の方向に容易に到達することができる。また、別途、進行方向誘導部を前照灯付車両に設ける必要がないので、部品点数を低減することができる。加えて、ケースに、容易に設けることができる。
【００１８】
請求項５に記載の発明によれば、進行方向誘導部が、ラインであるので、運転者が進行方向を確認しやすくなり、目的の方向に容易に到達することができる。また、別途、進行方向誘導部を前照灯付車両に設ける必要がないので、部品点数を低減することができる。加えて、ケースに容易に設けることができる。
【００１９】
請求項６に記載の発明によれば、ケースが、アームを介して車両本体に回動自在に取り付けられるので、前照灯の照射方向を自在に変更することができる。
【００２０】
請求項７に記載の発明によれば、ケースは、車両本体に対して、上下方向に回動自在に取り付けられるので、前照灯の照射方向を自在に変更することができる。加えて、車両の前輪近傍などを照射することができる。
【００２１】
請求項８に記載の発明によれば、ケースは、車両本体に対して、左右方向に回動自在に取り付けられるので、前照灯の照射方向を自在に変更することができる。加えて、車両の側方を照射することができる。
【００２２】
請求項９に記載の発明によれば、前照灯付車両が苗載台を備える田植機であり、苗載台が、苗がないときに光源を点灯させるスイッチを備えることができるので、苗の不足を容易に認知することができる。
【発明を実施するための最良の形態】
【００２３】
以下、図面を参照しつつ、この発明を実施するための最良の形態について詳述する。
図１は本発明の前照灯付車両の一例として、４条用の田植機１の側面図である。
田植機１は運転者が搭乗する走行型の車両であり、エンジン２を車体フレーム３に搭載させ、前後方向に長手状のミッションケース４の前方にフロントアクスルケース５を介して水田走行用前輪６を支持させるとともに、ミッションケース４の後部のリアアクスルケース７に水田走行用後輪８を支持させる。そして、エンジン２等を覆うボンネット９の両側に予備苗載台１０を取り付けるとともに、運転者が搭乗する車体カバー１１によってミッションケース４等を覆い、車体カバー１１の後側の運転台１２上面に運転席１３を取り付け、その運転席１３の前方のハンドルポスト４９を介してハンドル１４を設ける。また、田植機１のボンネット９の前端には、硬質ウレタン等の軽量で緩衝性を備えた合成樹脂あるいはゴムで形成され、田植機１の前端部とその左右隅部とを囲繞したバンパー３１を装着している。
【００２４】
また、植付部１５は４条植え用の苗載台１６並びに複数の苗植付爪１７などを具備する植付部１５であり、前高後低の前傾式の苗載台１６を下部レール１８及びガイドレール１９を介して植付フレーム２０に左右往復摺動自在に支持させるとともに、一方向に等速回転させるロータリーケース２１を植付フレーム２０に支持させ、そのロータリーケース２１の回転軸芯を中心に対称位置に一対の爪ケース２２を配設し、その爪ケース２２先端に苗植付爪１７を取り付ける。また、植付フレーム２０の左右両端側に左右サイドフレーム２３を立設させて苗載台１６を支持させ、植付フレーム２０の左右中央のヒッチブラケット２４をトップリンク２５及びロワーリンク２６を含む昇降リンク機構２７を介して田植機１に連結させ、田植機１に設ける油圧昇降シリンダ２８の駆動時に昇降リンク機構２７を介して植付部１５を昇降させるとともに、植付部１５の下降時には左右に往復摺動させる苗載台１６から一株分の苗を苗植付爪１７によって取り出し、連続的に苗植え作業を行うように構成されている。
【００２５】
更に、図中の符号２９は主変速レバー、符号３０は機体の搭乗位置はもちろんのこと機体から降りた位置で操行停止などの操作を可能とさせる苗継ぎレバー、符号３２は主クラッチペダル、符号３３は４乗用側条施肥機、符号３４はセンターフロート及び符号３５はサイドフロートである。なお、この中には不図示の植付昇降レバー及びブレーキペダルも備えている。また、ハンドルポスト４９の中間部には前照灯４１を後述する構成により回動自在に取り付ける。
【００２６】
図２は本発明の苗切警報ライト（警報手段）とセンターマーカー（進行方向誘導部）４４とが一体となった前照灯４１付近の側面図、図３は前照灯４１の拡大断面図である。
前照灯４１は、ケース４７内のほぼ中央に電球（光源）４５を設け、ケース４７の前部、すなわち田植機１の進行方向に電球４５の保護板としての前照灯用透光板（前照灯）４２を設け、ケース４７の後部に苗切警報時の警報手段としての苗切警報用減光板４３を設ける。ケース４７の上部には、突起形状の進行方向誘導部であるセンターマーカー（突起）４４を設ける。ケース４７の下部には、アーム４６の一端を取り付け、アーム４６の他端はハンドルポスト４９に取付板５０を介して取り付ける。詳しくは、取付板５０にピン４８を介して上下方向（矢印方向）（ａ−ｂ）に回動自在に取り付ける。
【００２７】
このことから、アーム４６が回動自在に取り付けられることで、必要に応じて車両の前輪近傍を照射することができる。また、センターマーカーが一定の長さを持っているので、収納が容易ではなく、格納時や路上走行時に破損するような問題もあった。
本発明により、ケース４７の上部に突起状の進行方向誘導部であるセンターマーカー４４を設けることで、センターマーカー４４を別途設ける必要がなく、しかも路上走行時に破損するような問題も解消される。
【００２８】
前照灯用透光板４２は、電球４５の光を集光して、外部前方に照射するためのものであり、強化プラスチック製の透明な材料で構成されている。
苗切警報用減光板（減光部材）４３は、電球４５で発せられた光を運転者が直視できる程度に低減させて、後方に送るためのもので、減光処理を施したプラスチック製の赤色透明な材料で構成されている。なお、減光処理としては、遮光性のスリットを設けるなどの方法がある。
センターマーカー４４及びケース４７は、強度の大きい熱硬化性樹脂で一体に構成される。アーム４６は、金属製または熱硬化性樹脂により、パイプ状あるいは棒状にて構成される。
前照灯４１は、前照灯用透光板４２、電球４５、及びケース４７から構成され、警報手段は、苗切警報用減光板４３、電球４５、及びケース４７により構成される。
【００２９】
図４は、前照灯４１及び警報手段の電気回路図である。
電球４５のリード線の一端はエンジンチャージコイル５１に接続され、電球４５のリード線の他端は４つに分岐してそれぞれ苗切スイッチ（スイッチ）５８に接続されている。なお、苗切スイッチ５８の詳細は、図５（ａ）、（ｂ）に示すように構成されている。すなわち、苗切スイッチ５８は苗受け台６５の下部に取り付けられた接触部（スイッチ）６２と接点（スイッチ）６１とからなる。また、接触部６２を上方へ付勢する圧縮のコイルバネ６３の上端を接触部６２に取り付けるとともに、下端を支持台６４に取り付ける。なお、支持台６４及び苗受け台６５は、苗載台１６の一部を構成する。また、コイルバネ６３はバネ定数が苗自重程度で動作するものが望ましい。
【００３０】
なお、図５（ａ）は、苗受け台６５に苗がない状態で、コイルバネ６３によって苗受け台６５が上方へ押し上げられて、接触部６２が接点６１に接触している状態を示す。この状態で前照灯兼苗切警報回路５９は通電しており、電球４５は点灯する。従って、苗受け台６５に苗がなくなると、電球４５が点灯し、前照灯４１及び警報手段が点灯する。
また、図５（ｂ）は、苗受け台６５に苗が載置された状態で、苗の自重により圧縮用コイルバネ６３の押上げ力に抗して苗受け台６５が下がり、接触部６２が接点６１から離れている状態を示す。この状態で前照灯兼苗切警報回路５９は通電が解除されており、電球４５は点灯しない。
【００３１】
以上、詳述したように、この発明の田植機１は走行方向を照らす前照灯と、運転者が視認しうる発光性の苗切警報ライト（警報手段）とを備え、前照灯４１に備える電球４５が、苗切警報ライトの電球４５を兼ねる。また、前照灯４１が、ケース４７とそのケース４７に内設された電球４５とを備えるとともに、苗切警報ライトが、電球４５とケース４７とそのケース４７の後部に電球４５からの光量を低減させる苗切警報用減光板４３とを備え、ケース４７の上面に進行方向を誘導する進行方向に直線状の突起のセンターマーカー４４を設けている。
また、ケース４７が、アーム４６を介して車両本体に上下に回動自在に取り付けられる。
更に、前照灯付車両が苗載台１６を備える田植機１であり、苗載台１６が、苗がないときに電球４５を点灯させる苗切スイッチ５８を備えている。
なお、センターマーカー４４は、ラインであってもよく、加えて、ケース４７は、アーム４６を介して車両本体に左右に回動自在に取り付けられる構造にしてもよい。
【００３２】
なお、上述の例では前照灯付車両の一例として、田植機について説明したが、この発明はこれに限定されるものではない。例えば、歩行型あるいは自走型の農業管理機、芝刈機、電灯付電動車椅子や、原動付自転車、自動二輪車など、前照灯と警報手段とを備えたあらゆる車両に適用することができる。
【図面の簡単な説明】
【００３３】
【図１】本発明の前照灯付車両の一例としての田植機の側面図である。
【図２】図１の田植機の前照灯付近の拡大側面図である。
【図３】図２の前照灯の断面図である。
【図４】図１の田植機の前照灯及び警報手段の電気回路図である。
【図５】図４の電気回路図の苗切スイッチの構造を示し、（ａ）は苗切スイッチがＯＮになった状態、（ｂ）は苗切スイッチがＯＦＦになった状態を示す図である。
【図６】従来の田植機の前照灯及び警報手段の回路図である。
【符号の説明】
【００３４】
１    田植機
２    エンジン
３    車体フレーム
４    ミッションケース
５    フロントアクスルケース
６    水田走行用前輪
７    リアアクスルケース
８    水田走行用後輪
９    ボンネット
１０    予備苗載台
１１    車体カバー
１２    運転台
１３    運転席
１４    ハンドル
１５    植付部
１６    苗載台
１７    苗植付爪
１８    下部レール
１９    ガイドレール
２０    植付フレーム
２１    ロータリーケース
２２    爪ケース
２３    サイドフレーム
２４    ヒッチブラケット
２５    トップリンク
２６    ロワーリンク
２７    昇降リンク機構
２８    油圧昇降シリンダ
２９    主変速レバー
３０    苗継ぎレバー
３１    バンパー
３２    主クラッチペダル
３３    ４条用側条施肥機
３４    センターフロート
３５    サイドフロート
４１    前照灯
４２    前照灯用透光板（前照灯）
４３    苗切警報用減光版（警報手段、減光部材）
４４    センターマーカー（進行方向誘導部、突起）
４５    電球（光源、前照灯、警報手段）
４６    アーム
４７    ケース（前照灯、警報手段）
４８    ピン
４９    ハンドルポスト
５０    取付板
５１    エンジンチャージコイル
５８    苗切スイッチ（スイッチ）
５９    前照灯兼苗切警報回路
６１    接点（スイッチ）
６２    接触部（スイッチ）
６３    コイルバネ
６４    支持台
６５    苗受け台
【図１】
2006248251.tif 000003
【図２】
2006248251.tif 000004
【図３】
2006248251.tif 000005
【図４】
2006248251.tif 000006
【図５】
2006248251.tif 000007
【図６】
2006248251.tif 000008